(57)【要約】【課題】  ＤＶＤメディアに記録データをそのままＤＶＤ−ＲＯＭとして複製するには、ＤＶＤドライブとそれを制御するＰＣなどが必要となる。コピーしたデータを他者が利用する際にも、ＰＣ上での利用に限定される。【解決手段】  第１の装置１００において動画データ１０７を用いてプレイリストデータ１０８を作成し、更にその作成したプレイリストデータの選択を行って、そのプレイリスト選択情報である素材指定データを記憶装置１０３にそれぞれ保存しておく。その後、第２の装置２００が、記憶装置１０３からその素材指定データ１０９を読み出して、それを使用して、指定メディアフォーマットデータを作成し、それを記憶媒体２０６に書き込む。これにより、第２の装置２００では指定メディアフォーマットデータの作成に必要な各データの選択と作成が不要となる。【選択図】            図１
2006333033.tif 000002
【特許請求の範囲】
【請求項１】
少なくとも動画像を含む一又は二以上の情報の素材データを記憶している記憶装置を具備すると共に、前記素材データのプレイリスト機能を具備する第１の装置と、
入力された動画像を含む情報の素材データを予め定められたフォーマットで記録媒体に記録する書き込み手段を具備する第２の装置と、
前記第１の装置の前記プレイリスト機能によって生成するプレイリストデータとその編集対象になった素材データを前記第２の装置へ供給する接続手段とを有する情報編集記録システムであって、
前記第１の装置は、
前記プレイリスト機能によって、前記一又は二以上の情報のうち任意の情報の素材データの再生開始位置と再生終了位置とを対とする再生位置情報を１セット又は複数セット指定するプレイリスト編集を行うことにより１個以上のプレイリストデータを作成した後、そのプレイリストデータの中から任意の数のプレイリストデータを選択してプレイリスト選択情報を得る第１の制御手段と、
前記作成した１個以上のプレイリストデータと、前記プレイリスト選択情報とを前記記憶装置に記憶する記憶手段とを有し、
前記第２の装置は、
前記第１の装置内の前記記憶装置に記憶されている前記プレイリスト選択情報と、そのプレイリスト選択情報が選択している前記プレイリストデータ及びそのプレイリストデータの素材データとを、前記接続手段を介して前記記憶装置から読み出す読み出し手段と、
読み出した前記プレイリスト選択情報と、そのプレイリスト選択情報が選択している前記プレイリストデータ及びそのプレイリストデータの素材データとを基に、予め定められたフォーマットのデータ構造をもったメディアフォーマットデータを作成するデータ作成手段と、
作成された前記メディアフォーマットデータを一時保持する一時保持手段と、
前記一時保持手段に保持された前記メディアフォーマットデータを、前記書き込み手段により前記記録媒体に書き込ませる第２の制御手段と
を有することを特徴とする情報編集記録システム。
【請求項２】
少なくとも動画像を含む一又は二以上の情報の素材データのうち、任意の素材データに対してプレイリスト編集を行い、得られた１個以上のプレイリストデータに基づいて記録媒体に予め定められたフォーマットで書き込むための指定フォーマットデータ作成を行うための基となる素材及び関連付けデータを作成する情報編集装置であって、
前記一又は二以上の情報の素材データを記憶している記憶装置と、
画像を表示する画像表示装置と、
前記記憶装置から任意の前記素材データを再生して前記画像表示装置により再生した素材データの画像を表示させ、その素材データの再生開始位置と再生終了位置とを対とする再生位置情報を１セット又は複数セット指定するプレイリスト編集を行うことにより１個以上のプレイリストデータを作成して、前記記憶装置に記憶するプレイリストデータ作成手段と、
前記記憶装置に記憶された１個以上の前記プレイリストデータの中から任意の数のプレイリストデータを選択してプレイリスト選択情報を得て、前記記憶装置に記憶するプレイリスト選択情報作成手段と、
指定フォーマットデータを書き込むための情報書き込み装置との接続手段と
を有し、前記接続手段を介して前記指定フォーマットを書き込むための前記情報書き込み装置に接続されたときに、前記記憶装置に記憶されている前記プレイリスト選択情報と、そのプレイリスト選択情報が選択している前記プレイリストデータ及びそのプレイリストデータの素材データとが、前記記録媒体に書き込むための予め定められたフォーマットデータを作成するために、その予め定められたフォーマットにオーサリングするための基になるデータとして読み出されることを特徴とする情報編集装置。
【請求項３】
前記記憶装置に記憶されている前記一又は二以上の情報の素材データは、テキストデータ、静止画データ及び音声データの少なくともどれか一つと前記動画像データとを含み、前記プレイリスト選択情報作成手段は、前記記憶装置に記憶されている前記静止画データ及び／又は音声データの各々を、前記情報書き込み装置で予め定められたフォーマットのデータ構造の必要な個所にそれぞれ割り当てるか、適切な形式に変換して利用されるように、前記選択したプレイリストデータに関連付け設定したプレイリスト選択情報を作成することを特徴とする請求項２記載の情報編集装置。
【請求項４】
被写体を撮像して得た動画像データを前記記憶装置に記憶する撮像手段を更に有することを特徴とする請求項２又は３記載の情報編集装置。
【請求項５】
内蔵の記憶媒体に、所望の情報信号を記録し再生する記録再生手段を更に有することを特徴とする請求項２又は３記載の情報編集装置。
【請求項６】
可搬型記録媒体が挿入又は排出される媒体挿入口が設けられており、前記記憶装置が着脱可能な可搬型記録媒体であることを特徴とする請求項２乃至５のうちいずれか一項記載の情報編集装置。
【請求項７】
記憶装置に記憶されている一又は二以上の情報の素材データのうち任意の情報の素材データの再生開始位置と再生終了位置とを対とする再生位置情報を１セット又は複数セット指定するプレイリスト編集を行うことにより１個以上のプレイリストデータを作成し、そのプレイリストデータの中から任意の数のプレイリストデータを選択したプレイリスト選択情報を作成してそれぞれ前記記憶装置に記憶する情報編集装置に接続されて、入力された素材データを予め定められたフォーマットで記録媒体に記録する情報書き込み装置であって、
前記情報編集装置内の前記記憶装置から前記プレイリスト選択情報とそのプレイリスト選択情報が選択している前記プレイリストデータ及びそのプレイリストデータの素材データとを読み出す読み出し手段と、
読み出した前記プレイリスト選択情報と、そのプレイリスト選択情報が選択している前記プレイリストデータ及びそのプレイリストデータの素材データとを基に、予め定められたフォーマットのデータ構造をもったメディアフォーマットデータを作成するデータ作成手段と、
作成された前記メディアフォーマットデータを一時保持する一時保持手段と、
前記一時保持手段に保持された前記メディアフォーマットデータを、前記記録媒体に書き込む書き込み手段と
を有することを特徴とする情報書き込み装置。
【発明の詳細な説明】
【技術分野】
【０００１】
本発明は情報編集記録システム、情報編集装置及び情報書き込み装置に係り、特に動画像の任意の再生開始位置とそれに対になる再生終了位置の指定を１セットもしくは複数セット行って得られた編集済みの画像情報を、指定したフォーマットのデータ構造をもったメディアに書き込むことで指定フォーマットメディアを作成する情報編集記録システム、情報編集装置及び情報書き込み装置に関する。
【背景技術】
【０００２】
動画像の再生表示が可能な表示装置を具備し、かつ、その動画像の任意の再生開始位置（再生開始時刻）とそれに対になる再生終了位置（再生終了時刻）の指定を１セットもしくは複数セット行うことでカット編集を行うことができるプレイリスト機能を具備したＤＶＤ（Digital Versatile Disc）レコーダ等の録画装置が普及している。このプレイリスト機能は、編集点情報（すなわち、再生開始時刻とそれに対になる再生終了時刻との組み合わせデータ）のみを使用して、元になる動画像情報をあたかも編集を行ったように見せかけ、実際に編集作業（削除、コピー、結合）をした結果と同等の再生を行う機能である。
【０００３】
このプレイリスト機能において生成した編集点情報を利用して、書き込み可能なＤＶＤメディアに、指定フォーマットに従って編集した結果を書き込む装置も存在している。この書き込み装置は、一般に、動画像情報などの編集素材データをメモリ内に記憶保持している装置（例えばハードディスク装置など）と一体になったメディア作成装置として具現化されている（ハードディスク一体型ＤＶＤレコーダなど）。
【０００４】
このプレイリスト機能は、ランダムアクセス記録メディア（半導体メモリ、ＤＶＤディスクなど）を用いたカメラ一体型ＶＴＲ（例えば、ビデオカムコーダーのようなモバイル機器）での搭載もなされているが、そのような機器においては、同一メディア内での記録済みデータのフォーマットの変換は一般には行われていない。その主な理由は、画質劣化を伴う操作やオリジナルデータの一部でも失われることは一般的に避けたい事柄であるからである。もう１つの理由は、メディア上の空きスペースにあまり余裕がない場合があることにもよる。
【０００５】
ところで、記録済みデータを他者に渡す方法としては、半導体メモリカード等の価格が比較的高価であるがために、記録済み半導体メモリカードをそのまま他者に渡したり、同じ種類のメモリカードに複製して渡すことは行われにくい。一方、ＤＶＤメディアのような大容量のメディアはメモリカードに比して廉価であり、ＤＶＤメディアに記録済みデータを複製して他者に渡すことは一般的に行われていることである。
【０００６】
しかし、この記録済みデータをＤＶＤメディアに複製する方法は、編集済み結果を再現できるかたちで渡すことにはならいないため、編集済み結果を他者に渡す方法としては、やはり用いられない。
【０００７】
そこで、プレイリスト機能により得た編集点情報を記録済み動画素材と併せてＤＶＤ等の記録媒体に記録する情報記録装置が従来から知られている（例えば、特許文献１参照）。この特許文献１記載の情報記録装置では、複数のコンテンツ情報の再生シーケンスを規定する複数のプレイリスト情報をそれぞれ含む複数のプレイリストセットと、複数のコンテンツ情報を論理的に一まとまりの情報単位であるタイトルとして再生するように、再生されるべきコンテンツ情報に対応する少なくとも一つのプレイリストセットを複数のプレイリストセットの中から指定する第１のポインタ情報、及び該第１のポインタ情報により指定されたプレイリスト中で選択候補となる前記プレイリスト情報を識別する識別情報を含むタイトル情報とを記録媒体に記録する。
【０００８】
【特許文献１】特開２００４−１２８７７４号公報
【発明の開示】
【発明が解決しようとする課題】
【０００９】
しかしながら、特許文献１記載の従来の情報記録装置により、プレイリスト機能により得た編集点情報（複数のプレイリストセット、第１のポインタ情報、識別情報）を記録済み動画素材と併せて大容量メディアであるＤＶＤに複製して他者に渡すことはできるが、その編集点情報を再現するには、編集点情報を記録した装置と全く同様の再生装置が必要であり、以下の課題を有する。
【００１０】
すなわち、第１の課題は、ＤＶＤメディアに記録データ（通常ＭＰＥＧ（Moving Picture Experts Group）形式）をそのままＤＶＤ−ＲＯＭとして複製するには、ＤＶＤドライブとそれを制御するパーソナルコンピュータ（ＰＣ）などが必要となり、その操作や、価格の比較的高価なことを考えると、手軽にコピーできるとは言い難いということである。
【００１１】
また、第２の課題は、コピーしたデータを他者が利用する際にも、ＰＣ上での利用に限定され、ＰＣの非所有者や、そのディスク内の動画データの再生に対応したＰＣ用ソフトウェアの非所有者においては、そのデータを利用できないということである。
【００１２】
更に、第３の課題は、動画データと、プレイリスト機能を使用して編集した結果作成されたプレイリスト機能とを併せて、ＤＶＤメディアにコピーする方法では、それを作成した装置と全く同じ装置が編集結果の再生に必要となることである。
【００１３】
一方、単に記録済みデータをそのままＤＶＤメディアにコピーするのではなく、ＤＶＤ−Ｖｉｄｅｏ形式にオーサリング（変換、再構成などの処理をすること）して書き込む情報記録装置が知られている。ここで、ＤＶＤ−Ｖｉｄｅｏ形式のオーサリングとは、ＤＶＤメディアにＤＶＤプレーヤで再生できるように、動画像データをＭＰＥＧ形式にデータ変換することを含む、プレーヤ上での様々な再生操作指定を可能にするＤＶＤ−Ｖｉｄｅｏフォーマット形式のデータを作成することをいう。これにより、比較的普及している、しかも安価なＤＶＤプレーヤでの再生が可能になる。
【００１４】
しかし、このＤＶＤ−ｖｉｄｅｏ形式に変換して、ＤＶＤメディアに書き込む方法では、やはり、それを行うためのＰＣとオーサリングを行うソフトウェアが必要であるという課題がある。さらに、画質劣化を最小に抑えたＤＶＤ−Ｖｉｄｅｏフォーマット形式のデータが記録されたＤＶＤメディアを作成するには、これらの操作を含め、ＭＰＥＧデータなどのある程度の専門知識、機材の設置のスキル、手間などが必要であり、また、それらの価格などを考えると、手軽であるとは必ずしも言い難い。
【００１５】
なお、ＰＣを使用せず、単純にカメラ一体型ＶＴＲの再生出力端子をＤＶＤレコーダの入力端子に接続して、ＤＶＤレコーダによりＤＶＤメディアにＤＶＤ−Ｖｉｄｅｏフォーマット形式でダビング保存するのが最も簡単な方法ではあるが、この場合は、カメラ一体型ＶＴＲで撮像して得られたＭＰＥＧデータを、そのカメラ一体型ＶＴＲで一旦デコードし、それを、再度ＤＶＤレコーダ上でＤＶＤ−Ｖｉｄｅｏフォーマット形式でエンコードするという処理が必要となり、画質の劣化は否めない。
【００１６】
本発明は、以上の点に鑑みなされたもので、専門知識を有しなくても記録済み動画データ等の素材データの編集結果を、廉価な構成で、かつ、簡単に、しかも画質の劣化を最小限に止め、また、比較的高速に記録媒体に記録し得る情報編集記録システム、情報編集装置及び情報書き込み装置を提供することを目的とする。
【課題を解決するための手段】
【００１７】
上記目的を達成するために、第１の発明は、少なくとも動画像を含む一又は二以上の情報の素材データを記憶している記憶装置を具備すると共に、素材データのプレイリスト機能を具備する第１の装置と、入力された動画像を含む情報の素材データを予め定められたフォーマットで記録媒体に記録する書き込み手段を具備する第２の装置と、第１の装置のプレイリスト機能によって生成するプレイリストデータとその編集対象になった素材データを第２の装置へ供給する接続手段とを有する情報編集記録システムであって、
上記第１の装置は、プレイリスト機能によって、一又は二以上の情報のうち任意の情報の素材データの再生開始位置と再生終了位置とを対とする再生位置情報を１セット又は複数セット指定するプレイリスト編集を行うことにより１個以上のプレイリストデータを作成した後、そのプレイリストデータの中から任意の数のプレイリストデータを選択してプレイリスト選択情報を得る第１の制御手段と、作成した１個以上のプレイリストデータと、プレイリスト選択情報とを記憶装置に記憶する記憶手段とを有し、
上記第２の装置は、第１の装置内の記憶装置に記憶されているプレイリスト選択情報と、そのプレイリスト選択情報が選択しているプレイリストデータ及びそのプレイリストデータの素材データとを、接続手段を介して記憶装置から読み出す読み出し手段と、読み出したプレイリスト選択情報と、そのプレイリスト選択情報が選択しているプレイリストデータ及びそのプレイリストデータの素材データとを基に、予め定められたフォーマットのデータ構造をもったメディアフォーマットデータを作成するデータ作成手段と、作成されたメディアフォーマットデータを一時保持する一時保持手段と、一時保持手段に保持されたメディアフォーマットデータを、書き込み手段により記録媒体に書き込ませる第２の制御手段とを有することを特徴とする。
【００１８】
この発明では、第１の装置においてプレイリストを作成し、更にその作成したプレイリストの選択を行って、そのプレイリスト選択情報を記憶装置に保存しておく。その後、第１の装置に接続された第２の装置が、記憶装置からそのプレイリスト選択情報を読み出して、それを基に第１の装置内に格納されているプレイリストデータ及びその素材データを使用して、指定メディアフォーマットデータを作成し、それを記憶媒体に書き込む。これにより、この発明では、第２の装置では指定メディアフォーマットデータの作成に必要な各データの選択と作成が不要であり、指定メディアフォーマットデータの作成に必要な各素材データの選択や作成は、すべて第１の装置に備わっている画像表示装置やプレイリスト機能を利用して行われる。
【００１９】
また、上記の目的を達成するため、第２の発明は、少なくとも動画像を含む一又は二以上の情報の素材データのうち、任意の素材データに対してプレイリスト編集を行い、得られた１個以上のプレイリストデータに基づいて記録媒体に予め定められたフォーマットで書き込むための指定フォーマットデータ作成を行うための基となる素材及び関連付けデータを作成する情報編集装置であって、
一又は二以上の情報の素材データを記憶している記憶装置と、画像を表示する画像表示装置と、記憶装置から任意の素材データを再生して画像表示装置により再生した素材データの画像を表示させ、その素材データの再生開始位置と再生終了位置とを対とする再生位置情報を１セット又は複数セット指定するプレイリスト編集を行うことにより１個以上のプレイリストデータを作成して、記憶装置に記憶するプレイリストデータ作成手段と、記憶装置に記憶された１個以上のプレイリストデータの中から任意の数のプレイリストデータを選択してプレイリスト選択情報を得て、記憶装置に記憶するプレイリスト選択情報作成手段と、指定フォーマットデータを書き込むための情報書き込み装置との接続手段とを有し、接続手段を介して、この指定フォーマットを書き込むための情報書き込み装置に接続されたときに、記憶装置に記憶されているプレイリスト選択情報と、そのプレイリスト選択情報が選択しているプレイリストデータ及びそのプレイリストデータの素材データとが、記録媒体に書き込むための予め定められたフォーマットデータを作成するために、その予め定められたフォーマットにオーサリングするための基になるデータとして読み出されることを特徴とする。
【００２０】
この発明では、この情報編集装置が記録媒体に予め定められたフォーマットにデータを書き込むためのオーサリングを行うための基となる素材データや関連付けデータをすべて作成し、その装置が作成したデータを基に指定フォーマットデータを書き込むための情報書き込み装置によりオーサリングを行い記録媒体に記録させることができる。
【００２１】
また、上記の目的を達成するため、第３の発明は、記憶装置に記憶されている一又は二以上の情報の素材データは、テキストデータ、静止画データ及び音声データの少なくともどれか一つと動画像データとを含み、プレイリスト選択情報作成手段は、記憶装置に記憶されている静止画データ及び／又は音声データの各々を、指定フォーマットデータを書き込むための書き込み装置で予め定められたフォーマットのデータ構造の必要な個所にそれぞれ割り当てるか、適切な形式に変換して利用されるように、選択したプレイリストデータに関連付け設定したプレイリスト選択情報を作成することを特徴とする。
【００２２】
この発明では、予め定められたフォーマットメディアの要素として、指定フォーマットデータ作成用素材データを指定し、かつ／及び作成するための情報編集装置の記憶装置内に格納されている静止画データ及び／又は音声データも、それぞれ記憶装置内で予め定められたフォーマットに基づく任意の指定を行い、その指定データを含め、プレイリスト選択情報と併せ、所定のフォーマットで格納しておく。そして、指定フォーマットデータを作成し、かつ／及び書き込むための情報書き込み装置がその所定のフォーマットの指定情報を参照することで、指定フォーマットデータ作成用素材データを指定し、かつ／及び作成するための情報編集装置の記憶装置内の静止画データ及び／又は音声データも、予め定められたフォーマットメディアを作成するための素材データとして利用可能となる。
【００２３】
また、上記の目的を達成するため、第４の発明は、被写体を撮像して得た動画像データを記憶装置に記憶する撮像手段を更に有することを特徴とする。この発明では、ビデオカメラを指定フォーマットデータ作成用素材データを指定し、かつ／及び作成するための情報編集装置として用いることができる。
【００２４】
また、上記の目的を達成するため、第５の発明は、内蔵の記憶媒体に、所望の情報信号を記録し再生する記録再生手段を更に有することを特徴とする。この発明では、ビデオレコーダ等の記録再生装置を指定フォーマットデータ作成用素材データを指定し、かつ／及び作成するための情報編集装置として用いることができる。
【００２５】
また、上記の目的を達成するため、第６の発明は、可搬型記録媒体が挿入又は排出される媒体挿入口が設けられており、記憶装置は媒体挿入口に着脱可能な可搬型記録媒体であることを特徴とする。
【００２６】
また、上記の目的を達成するため、第７の発明は、記憶装置に記憶されている一又は二以上の情報の素材データのうち任意の情報の素材データの再生開始位置と再生終了位置とを対とする再生位置情報を１セット又は複数セット指定するプレイリスト編集を行うことにより１個以上のプレイリストデータを作成し、そのプレイリストデータの中から任意の数のプレイリストデータを選択したプレイリスト選択情報を作成してそれぞれ記憶装置に記憶する指定フォーマットデータ作成用素材データを指定し、かつ／及び作成するための情報編集装置に接続されて、入力された素材データを予め定められたフォーマットで記録媒体に記録する書き込み装置であって、
指定フォーマットデータ作成用素材データを指定し、かつ／及び作成するための情報編集装置内の記憶装置からプレイリスト選択情報とそのプレイリスト選択情報が選択しているプレイリストデータ及びそのプレイリストデータの素材データとを読み出す読み出し手段と、読み出したプレイリスト選択情報と、そのプレイリスト選択情報が選択しているプレイリストデータ及びそのプレイリストデータの素材データとを基に、予め定められたフォーマットのデータ構造をもったメディアフォーマットデータを作成するデータ作成手段と、作成されたメディアフォーマットデータを一時保持する一時保持手段と、一時保持手段に保持されたメディアフォーマットデータを記録媒体に書き込む書き込み手段とを有することを特徴とする。
【００２７】
この発明では、指定フォーマットデータ作成用素材データを指定し、かつ／及び作成するための情報編集装置から入力された素材データを予め定められたフォーマットで記録媒体に記録することができる。
【発明の効果】
【００２８】
本発明によれば、第２の装置では予め定められたフォーマットのデータ（指定メディアフォーマットデータ）の作成に必要な各データの選択と作成が不要であり、指定メディアフォーマットデータの作成に必要な各データの選択と作成は、すべて第１の装置に備わっている画像表示装置やプレイリスト機能を利用して行われるため、第２の装置上では、最小限の操作（例えば、作成開始コマンドの発行）のみで指定フォーマットメディアの作成を実行することができ、第２の装置を簡単な構成とすることができ、システム全体を安価に構築できる。
【００２９】
また、本発明によれば、第１の装置内の種々のデータを第２の装置へ移動させる操作を省くことができ、更に元々第１の装置に備わっているプレイリスト編集機能、およびその編集結果のデータをそのまま有効活用でき、しかも、これらの結果、第２の装置内に指定フォーマットに使用される各データの格納場所を指定したりするＧＵＩ関連装置や、テキストデータを入力するためのテキストデータ表示関連装置が不要となり、第２の装置の廉価な実現が可能となる。
【００３０】
更に、本発明によれば、第２の装置では、第１の装置と同等の機能を有するＰＣとオーサリングを行うソフトウェアが不要であり、また、第１の装置から取得したプレイリストデータ、プレイリスト選択情報、素材データをデコードした後再度エンコードするという処理が不要であるため、画質劣化を最小限に抑えたオーサリング処理ができる。
【発明を実施するための最良の形態】
【００３１】
次に、本発明の実施の形態について図面を参照して説明する。図１は本発明になる情報編集記録システムの一実施の形態のブロック図を示す。本実施の形態は、指定フォーマットメディア要素指定機能を持った第１の装置１００と、指定フォーマットメディア要素指定データと素材データとを基にメディアに書き込む機能を持った第２の装置２００とがケーブル３００を介して接続された構成であり、第１の装置１００によりプレイリスト機能を使用して編集された動画像データを、第２の装置２００によりＤＶＤ−Ｖｉｄｅｏフォーマット形式でメディア（ここでは、ＤＶＤディスク）に記録する点に特徴がある。
【００３２】
第１の装置１００は、画像表示装置（モニタ）１０１、動画再生デコーダ１０２、記憶装置（メモリ）１０３、制御装置１０４、操作スイッチ（ＳＷ）１０５、及び外部インタフェース（Ｉ／Ｆ）部１０６から大略構成されている本発明の編集装置である。画像表示装置（モニタ）１０１は、動画再生デコーダ１０２でメモリ１０３から読み出されて再生された動画像を表示し、その画面を見ながらプレイリスト編集を行うためのものとして使用される。
【００３３】
また、画像表示装置（モニタ）１０１は、このプレイリスト編集結果であるプレイリストデータやその他の静止画データ、音声データの指定メディアフォーマットへの関連付け設定、さらにテキストデータを入力及び指定メディアフォーマットへの関連付け設定などをこの画面上で行うためのものである。なお、画像表示装置（モニタ）１０１は必ずしも第１の装置１００に内蔵されているものでなくてもよく、第１の装置１００に接続される外部モニタ接続端子を備えた構成でも構わない。
【００３４】
動画再生デコーダ１０２は、メモリ１０３に記憶されている動画データ１０７などを再生する。メモリ１０３は、プレイリスト編集されるべき動画データ１０７、プレイリスト編集結果であるプレイリストデータ１０８、素材指定データ１０９などを記憶する。メモリ１０３には、動画データ１０７は、例えば、ＭＰＥＧ−２形式、Ｍ−ｊｐｅｇ（モーションＪＰＥＧ）形式、ＡＶＩ（Audio Video Interleaved）形式、あるいはＱｕｉｃｋＴｉｍｅ形式などの通常の動画ファイルと呼ばれる形式で記憶されている。素材指定データ１０９は、指定メディアフォーマットを作成するために用いる指定メディアフォーマット上における各素材データの関連付け設定を行うためのデータである。
【００３５】
制御装置１０４は、画像表示装置（モニタ）１０１、メモリ１０３、操作ＳＷ１０５及び外部Ｉ／Ｆ部１０６に接続されており、ユーザが操作する操作ＳＷ１０５からの入力情報に基づいて行われたプレイリスト機能に基づく、動画像等の任意の再生開始位置（再生開始時刻）とそれに対になる再生終了位置などを示すプレイリストデータ１０８を生成してメモリ１０３に記憶したり、素材指定データ１０９を生成してメモリ１０３に記憶するプレイリスト作成指定制御部であり、また、メモリ１０３に記憶されている各データをメモリ１０３から読み出して外部Ｉ／Ｆ部１０６を介して第２の装置２００へ送出する。
【００３６】
なお、図１では、第１の装置１００は説明の簡単のため、動画像データに関する構成のみを示しているが、実際には静止画データや音声データ、更には文字データも扱うものであり、図２は第１の装置１００の一実施の形態の詳細ブロック図を示す。同図中、図１と同一構成部分には同一符号を付し、その説明を省略する。図２において、第１の装置１００内には、静止画デコーダ１１０、音声デコーダ１１１、音声出力装置１１２、文字生成装置１１３も内蔵されており、記憶装置（メモリ）１０３には、静止画データ１１４、音声データ１１５も記憶されており、更に素材指定データ１０９に相当するディスクオーサリング素材指定データ１１６が記憶されている。ディスクオーサリング素材指定データ１１６は、指定メディアフォーマットへの関連付け設定のデータである。
【００３７】
静止画デコーダ１１０は、メモリ１０３から必要に応じて読み出した静止画データ１１４をデコードし、得られた静止画信号を画像表示装置１０１へ出力して静止画を表示させる。音声デコーダ１１１は、メモリ１０３から必要に応じて読み出した音声データ１１５をデコードし、得られた音声信号をスピーカ等の音声出力装置１１２へ供給して音声として発音させる。文字生成装置１１３は、制御装置１０４を介して文字信号を生成し、それを画像表示装置１０１へ供給して文字を表示させる。
【００３８】
第１の装置１００内の記憶装置（メモリ）１０３に存在する動画データ１０７、静止画データ１１４、音声データ１１５などは、外部Ｉ／Ｆ経由で書き込まれるか、あるいは、記憶装置（メモリ）１０３自体が着脱自在な構成であり、別の装置で動画データ１０７、静止画データ１１４、音声データ１１５などが書き込まれている構成であってもよい。
【００３９】
再び図１に戻って説明するに、第２の装置２００は、メディア書き込み装置２０１、制御装置２０２、メディアフォーマットデータ一時保存部２０３、外部インタフェース（Ｉ／Ｆ）部２０４、及び書き込み開始スイッチ（ＳＷ）２０５から構成されている、本発明の編集装置である。メディア書き込み装置２０１は装填された所定のメディア（ここでは、ＤＶＤディスクとする）２０６に対して、制御装置２０２により各種情報及びプレイリストデータなどを書き込む。
【００４０】
制御装置２０２は、メディア書き込み装置２０１、メディアフォーマット一時保存部２０３、外部Ｉ／Ｆ部２０４及び書き込み開始ＳＷ２０５に接続されており、外部Ｉ／Ｆ２０４を介して入力された、第１の装置１００から送信された動画データ１０７やプレイリストデータ１０８や素材指定データ１０９などに基づいて、所定のフォーマット形式のメディアフォーマットデータ（例えばＤｖｄ−Ｖｉｄｅｏフォーマット形式のデータ）を生成してメディアフォーマットデータ一時保存部２０３に一時保存するメディアフォーマットデータ作成部としての機能、及びメディアフォーマットデータ一時保存部２０３からメディアフォーマットデータを読み出してメディア書き込み装置２０１に供給してメディア（ここでは、ＤＶＤディスク）２０６に書き込ませるメディア書き込み制御部としての機能を有する。
【００４１】
外部Ｉ／Ｆ部２０４はケーブル３００を介して第１の装置１００内の外部Ｉ／Ｆ部１０６に接続されている。また、書き込み開始ＳＷ２０５はメディア（ここでは、ＤＶＤディスク）２０６へのメディアフォーマットデータ書き込み時に、制御装置２０２を介してメディア書き込み装置２０１を動作させるように、ユーザにより操作されるスイッチである。
【００４２】
本実施の形態では、第１の装置１００のＧＵＩ（Graphical User Interface）及び操作ＳＷ１０５を用いて、情報再生開始位置と情報再生終了位置とを対とする再生位置情報を１セット又は複数セット指定するプレイリスト編集を行い、得られた再生位置情報と素材データ（動画像データ１０７、静止画データ１１４、音声データ１１５等）とを含むプレイリストデータ１０８の中から任意の１個以上のプレイリストデータを選択して、選択されたプレイリストデータを含む、例えばＤＶＤオーサリングに必要な素材の指定情報である素材指定データを、第２の装置２００が利用可能なかたちで素材データ（動画データ１０７、静止画データ１１４、音声データ１１５等）と共にメモリ１０３に記憶しておく。
【００４３】
その後、第２の装置２００と第１の装置１００とをケーブル３００を介して接続する。これにより、第２の装置２００から第１の装置１００内のＤＶＤオーサリングに必要な素材データ（動画データ１０７等）と、プレイリストデータ１０８と素材指定データ１０９とが読み出し可能になる。
【００４４】
続いて、第２の装置２００は、書き込み開始ＳＷ２０５が操作されることにより、第１の装置１００内のメモリ１０３から素材指定データ１０９を読み出し、その指定情報に従って、素材データをメモリ１０３から読み出し、読み出し入力された素材データが動画データ１０７であるときは、制御装置２０２においてメディアフォーマッタデータ一時保存部２０３を用いて、結合、削除などの再構成を行ったり、メニュー素材として、ＤＶＤ−Ｖｉｄｅｏフォーマットに従った形式のバーニングデータを作成し、そのバーニングデータをメディア（ＤＶＤディスク）２０６に書き込む（バーンする）、一連の動作を行う。
【００４５】
次に、本実施の形態の動作について更に詳細に説明する。まず、第１の装置１００にて、ＤＶＤオーサリングを行うための準備処理が行われる。ＤＶＤ−Ｖｉｄｅｏフォーマットのメディア（ＤＶＤディスク）２０６の構成としては、動画（タイトルと呼ぶ）とメニュー画面が主なものである。メニュー画面が存在しないメディアも作成可能であるが、ここでは動画（タイトル）が複数あり、メニュー画面が存在するＤＶＤ−Ｖｉｄｅｏフォーマットのメディア（ＤＶＤディスク）２０６を作成するものとする。
【００４６】
ＤＶＤオーサリングを行うための準備処理段階では、動画素材（タイトル）を指定し、必要なプレイリスト編集を行う。第１の装置１００では、動画再生デコーダ１０２により再生すべき動画データ１０７の複数のタイトルを示す複数のサムネール（小面積の参照用静止画）が画像表示装置（モニタ）１０１に示され、その中からユーザが操作ＳＷ１０５を操作して一つのサムネールを選択すると、そのサムネールが示している動画データ部分の再生を開始する。
【００４７】
ここで、再生開始される上記の動画データ部分は、オリジナルの動画ファイル１個まるごと指定しても構わないが、一般にビデオカメラなどで撮像した画像などでは、不要部分も存在したりするので、その不要部分を取り除いた動画として指定したい。そのため、再生される動画データ部分の動画像を画像表示装置（モニタ）１０１で監視しながら、プレイリスト編集により、編集開始点と編集終了点を対(組)にして指定することを繰り返し、不要部分を削除したり、他の動画素材を結合する。
【００４８】
図３はプレイリスト編集結果をリスト表示した表示画面の一例を示す。同図において、画像表示装置（モニタ）１０１の表示画面３３０には、編集開始点（ＩＮ点）がアドレス２分５秒１２フレームで編集終了点（ＯＵＴ点）がアドレス２分１８秒２３フレームであるファイルＭＯＶ００２と、編集開始点（ＩＮ点）がアドレス５分１６秒３フレームで編集終了点（ＯＵＴ点）がアドレス５分３８秒１２フレームであるファイルＭＯＶ００５とからなるプレイリスト＃００２が示されている。このプレイリスト編集は、任意に作成することができる。プレイリスト編集結果である１又は２以上のプレイリストデータ１０８は、図１のメモリ１０３に格納される。
【００４９】
続いて、ＤＶＤオーサリング処理が開始される。まず、メモリ１０３に格納されているプレイリストデータ１０８の中から、どのプレイリストデータをオーサリングデータ中のタイトル（動画編集結果）として割り付けるかの操作を行う。この操作は、図５の表示画面に従って行われる。図５はプレイリストデータを指定メディアフォーマットで利用する設定を行うための第１の装置上の表示画面の一例を示す。同図において、画像表示装置（モニタ）１０１の表示画面５００には、指定メディアフォーマットでのタイトルの存在するページ番号を指定するための番号入力エリア５０１と、番号入力エリア５０１で指定されたページ番号の指定するページ上のタイトルを指定するタイトル番号の入力エリア５０２と、現在設定している指定メディアフォーマットで使用されるプレイリストの番号５０３などが表示されている。
【００５０】
なお、このタイトルを示すサムネールに任意の静止画データを使用することも可能である。この場合、第２の装置２００で作成されるＤＶＤディスクを再生したときに表示されるメニュー画面上のタイトルを示すサムネールそれぞれに、第１の装置１００内に存在する任意の静止画ファイルを指定し、その情報をメモリ１０３に保存しておく操作を行う。
【００５１】
続いて、操作ＳＷ１０５を操作して、図４に示す画像表示装置１０１の画面上のサムネールの下側位置に表示される、そのタイトルの名称などの文字列を図２に示した文字生成装置１１３で生成させ、その文字列の文字コードをＤＶＤオーサリング素材データ１１６としてメモリ１０３に保存するか、あるいは、ＤＶＤオーサリング素材データ１１６としてメモリ１０３にページ（ＤＶＤディスク再生メニュー画面の１つ）背景画像全体をイメージ（静止画データ）保存する。同様にして、必要に応じてページの表題を入力してＤＶＤオーサリング素材データ１１６としてメモリ１０３に、文字コード又はイメージで保存する。
【００５２】
図４は指定メディアフォーマットでの再生時における画面表示上の要素の使用例を示す。同図において、指定メディアフォーマットでの再生時における画面４００には、指定メディアフォーマットでのページ表題を表わす文字列４０１と、指定メディアフォーマットでのタイトル情報４０２と、タイトルの名称を示す文字列４０３とが表示されている。
【００５３】
タイトル情報４０２は、ページ（メニュー）番号とページ内のタイトル番号とからなり、ここでは２−１、２−２、２−３として示されており、ハイフンの前の数字「２」がページ（メニュー）番号を示し、ハイフンの後の数字「１」、「２」、「３」がそれぞれページ（メニュー）内のタイトル番号を示す。このタイトル情報４０２を表示する領域には、プレイリストデータをページ（メニュー）上のタイトルに割り付けた後は、そのタイトル情報に対応する静止画が表示される。なお、表題を表わす文字列４０１には、「グレートレース（Great Race）」の表題の他、ページ（メニュー）番号も表わされている。
【００５４】
例えば、図４で示されている指定メディアフォーマット上で定義されているタイトルサムネールが示しているタイトル２−１の動画シーンは、図３で示すような第１の装置１００内での＃００２のプレイリストで指定されている動画編集結果が割り付けられていることを意味する。この割り付けを行うための第１の装置１００のＧＵＩの一例が上記の図５である。ここで例として用いられている指定メディアフォーマットには、タイトル（動画）の存在するページ（メニュー）番号を指定するための番号入力エリア５０１が存在しており、任意のプレイリストが示す編集済み動画を指定メディアフォーマット上のどのページ（メニュー）のどのタイトルとして割り付けるかの指示をこの画面上でできるようにしている。
【００５５】
なお、メニュー画面表示中にバックグラウンドミュージック（ＢＧＭ）を流すことも可能である。この場合は、第１の装置１００内で、メモリ１０３内の音声ファイルを選択し、それをメニューＢＧＭ素材として使用することを指定するためのデータとして、ディスクオーサリング素材指定データ１１６中に含めてメモリ１０３に記憶しておく。
【００５６】
以上のようにして得た各データを１つの指定情報の塊として、ＤＶＤ−Ｖｉｄｅｏフォーマット形式のＤＶＤを第２の装置２００で作成する（オーサリングする）ためのディスクオーサリング素材指定データ１１６としてメモリ１０３に保存しておく。以上により第１の装置１００での準備処理が終了する。
【００５７】
次に、素材指定データ１０９（ディスクオーサリング素材指定データ１１６）の保存形式について説明する。上記素材指定データ１０９（ディスクオーサリング素材指定データ１１６）は第１の装置１００内でのみ作成し、それを第２の装置２００でのみ読み出す目的であれば、その保存形式はそれぞれの装置間の取り決めさえ存在すればよいことになる。しかしながら、第１の装置１００と第２の装置２００のみに依存した形式ではなく、汎用、つまり、これらの装置１００及び２００以外の装置での作成、利用も可能になる形式としておくと、より多くの機器での利用が可能になる。
【００５８】
そのためには、その素材の指定情報そのものが意味を示しているような形態が望ましい。このような形態としてＸＭＬ（extensible markup language）形式が考えられる。これはデータ本体の前後に、そのデータの意味を示すタグというデータを置き、それぞれのデータの意味を単独に分かるようにする仕組みである。この考えに則って、それぞれの素材指定データ１０９（ディスクオーサリング素材指定データ１１６）をＸＭＬ形式で保存しておくことも有用である。
【００５９】
図６は第２の装置２００で予め定められたメディアフォーマットのデータ構造に従ったメディアへの書き込みデータを作成するために用いられ、第１の装置１００のメモリ１０３に格納された、ＸＭＬ形式で記述された指定メディアフォーマットの素材指定データ１０９（ディスクオーサリング素材指定データ１１６）の内容の一例を示す。
【００６０】
この例では、あるページ（メニュー）上の２つの動画（タイトル）を選択する画面と、そのサムネール画像、およびページ（メニュー）の背景画像、ＢＧＭの指定、タイトルの表題、ページ（メニュー）の表題を指定する情報が含まれている。ここで、＜ＢＧＭ＞はメニュー画面表示中にＢＧＭとして流されるために選択された音声ファイルを示し、＜ＢＧＰ＞はメニュー画面表示中の背景画像として表示されるために選択された画像ファイルを示す。
【００６１】
第１の装置１００において、オーサリングに必要な指定情報データの作成が終了すると、第１の装置１００と第２の装置２００とをケーブル３００で接続する。ここで「接続」とは、ケーブル３００による有線接続に限定されるものではなく、第２の装置２００から第１の装置１００のメモリ１０３内のデータが読み出せる手段全てを含むものであり、従って、例えば無線ＬＡＮ（Local Area Network）のような物理的に接続されていない無線接続も含む。ただし、データの読み出しに非常に時間のかかる、つまり、単位時間のデータの読み出し速度が遅いものは、実用的な接続方法とはいえないので、注意が必要である。
【００６２】
上記の接続後、図１の第２の装置２００の制御装置２０２から外部Ｉ／Ｆ部２０４、ケーブル３００、外部Ｉ／Ｆ部１０６及び制御装置１０４を介してメモリ１０３からオーサリングに必要な指定情報であるプレイリストデータ及び素材指定データ１０９（１１６）と動画データ１０７等の素材データとを読み出し、それらのデータに基づいて、制御装置２０２はオーサリング、すなわち、動画データの作成、メニューデータの作成を行い、作成されたそれらのデータからなるバーニングに必要なメディアフォーマットデータを一時保存部２０３に保存する。なお、素材データには、動画データ１０７、静止画データ１１４、音声データ１１５以外に、テキストデータも含まれる。
【００６３】
ここで、メディアフォーマットデータ一時保存部２０３のメモリ量が少ないほど、第２の装置２００が安価となるが、メディアフォーマットデータ一時保存部２０３のメモリ量が少ない場合には、バーニングに必要な作成したメディアフォーマットデータのすべてを保存できないことが起こり得る。その場合でも、第１の装置１００内のメモリ１０３にメディアフォーマットデータの一部を保存しておくことにすれば、メディアフォーマットデータ一時保存部２０３のメモリ量を少なくすることも勿論可能である。しかし、後述するバーニング処理において、メモリ１０３に保存しておいたメディアフォーマットデータを遅滞なく読み出すことができない場合は、バーニング作業に失敗することがあり得るので、その読み出し速度への注意が必要である。
【００６４】
このようにして作成されたオーサリング結果であるメディアフォーマットデータのメディアフォーマットデータ一時保存部２０３への保存が終了すると、任意のタイミングで書き込み開始ＳＷ２０５がオンとされ、バーニング処理が行われる。このバーニング処理では、制御装置２０２がメディアフォーマットデータ一時保存部２０３からメディアフォーマットデータを読み出し、それをメディア書き込み装置２０１に供給し、これによりメディア（ここでは、ＤＶＤディスク）２０６に書き込む（バーンする）。
【００６５】
このように、本実施の形態では、第２の装置２００における一連の処理は、第２の装置２００上に存在する書き込み開始ＳＷ２０５の操作だけで行われ、これ以外の操作は一切不要であり、これにより、第２の装置２００において、第１の装置１００のメモリ１０３上のプレイリストデータ１０８及び素材指定データ１０９に基づいて、メモリ１０３内の素材データ（動画データ１０７等）を使用して、指定メディアフォーマットデータを生成し、第２の装置２００に設けられたメディア書き込み装置２０１において、指定メディアフォーマットでメディア（ここでは、ＤＶＤディスク）２０６に書き込みができる。
【００６６】
また、指定メディアフォーマット設定機能を持つ第１の装置１００、および指定メディアフォーマット書き込み用の第２の装置２００は、それぞれの操作に共通に使用する操作ボタン、表示装置などを共用できるため、指定メディアフォーマットメディアを作成するシステムを安価に構築できる。また、データコピーなどの第１の装置１００内の種々のデータを第２の装置２００へコピーするという前処理も不要となり、第２の装置２００内のメディアフォーマットデータ一時保存部２０３のメモリサイズを節約したり、準備時間の節約につながり、単独の指定メディアフォーマット書き込み装置に比べて有用である。
【００６７】
また、動画記録機能や音声記録機能を持った第１の装置１００上においては、それ自身が生成した動画データや音声データの指定、設定などの簡単な操作で指定メディアフォーマットでのメディア作成が可能となり、それらのデータの有効活用が図れる。
【００６８】
また、指定フォーマットメディアの要素として、第１の装置１００自身で作成されるテキストデータ（例：日付文字データ、自動作成ファイル名称文字データなど）、ユーザ入力テキストデータなどを指定フォーマットに基づく指定を行い、その指定データを所定のフォーマットで格納しておき、それを第２の装置２００がその所定のフォーマットの指定情報を参照することで、第１の装置１００内のテキストデータも、指定フォーマットメディアを作成するためのデータとして利用可能となる。
【００６９】
なお、書き込み開始ＳＷ２０５は、第２の装置２００に設けず、第１の装置１００に設けてもよく、あるいは、第２の装置２００を制御する赤外線リモコンなどによる書き込み開始操作も可能である。
【００７０】
次に、本発明の他の実施の形態について説明する。図７は本発明になる情報編集記録システムの他の実施の形態のブロック図を示す。同図中、図１と同一構成部分には同一符号を付し、その説明を省略する。図７に示す実施の形態は、第１の装置１５０と第２の装置２５０とがケーブル３００を介して接続された構成であり、第１の装置１５０内の記憶装置（メモリ）１０３には、メディアフォーマットデータ１５２を記憶している点に特徴があり、かつ、第２の装置２５０内に書き込みエラーを防ぐためのメディア書き込み速度調整バッファメモリ２５２を有する点に特徴がある。
【００７１】
本実施の形態の情報編集記録システムでは、第１の装置１５０内の制御装置１５１から操作ＳＷ１０５による指示に従い、メモリ１０３からメディアフォーマットデータ１５２を読み出して、外部Ｉ／Ｆ部１０６を介して第２の装置２５０へ送信する。第２の装置２５０は外部Ｉ／Ｆ部２０４を介してメディアフォーマットデータ１５２を受信し、それをメディア書き込み速度調整バッファメモリ２５２に供給して一時蓄積した後、メディア書き込み装置２０１によりメディア書き込み速度調整バッファメモリ２５２から読み出したメディアフォーマットデータをメディア（ここでは、ＤＶＤディスク）２０６に所定の書き込み速度で書き込む。
【００７２】
なお、図７の実施の形態の情報編集記録システムでは、第１の装置１５０と第２の装置２５０とをケーブル３００で接続して、第１の装置１５０内のメモリ１０３から読み出したメディアフォーマットデータを第２の装置２５０へ転送してメディア（ここでは、ＤＶＤディスク）２０６に書き込む構成であったが、メモリ１０３自体が装置に対して着脱自在の構成であり、かつ、第２の装置２５０にメモリ１０３の接続挿入部が設けられている場合には、そのメモリ１０３を第２の装置２５０に直接接続することも可能である。
【００７３】
この場合は、当然に、第１の装置１５０と第２の装置２５０とを接続する必要がなくなり、第２の装置２５０内の制御装置２５１が指定フォーマットメディアへ書き込むメディアフォーマットデータのみを作成する指示を行い、その上でこの作成されたメディアフォーマットデータをメディアへ実際に書き込む操作を行うようにする構成も可能である。
【実施例１】
【００７４】
図８は本発明になる情報編集記録システムの第１実施例の概略構成図を示す。この実施例は、第１の装置である再生用モニタを内蔵したビデオレコーダ機器６００と、第２の装置であるメディアフォーマットデータ作成及び書き込み装置７００とをケーブル３５０で接続した構成である。ビデオレコーダ機器６００は、再生用モニタの表示画面６０１、前記操作ＳＷ１０５に相当する編集用の各種操作スイッチ６０２、記録用スイッチ６０３が筐体の表面パネルに設けられており、また、筐体内には記憶装置の一例としてのハードディスクドライブ（ＨＤＤ）６０４が内蔵されており、入力された画像信号をＨＤＤ６０４に記録し再生する機能を有する。また、メディアフォーマットデータ作成及び書き込み装置７００の筐体表面パネルには、前記書き込み開始ＳＷ２０５に相当するスイッチ７０１が設けられている。
【００７５】
この実施例では、ＨＤＤ６０４に記憶されている動画データを読み出して表示画面６０１の画像表示部６０５に再生画像を表示させながら、各種操作スイッチ６０２を操作して編集開始点（ＩＮ点）と編集終了点（ＯＵＴ点）とを決定する。編集開始点（ＩＮ点）と編集終了点（ＯＵＴ点）の画像は画像表示部６０６、６０７に表示される。編集開始点（ＩＮ点）と編集終了点（ＯＵＴ点）のアドレスを示す１個以上のプレイリストデータは、ＨＤＤ６０４に一時記憶される。
【００７６】
その後、１個以上のプレイリストデータの中から任意のプレイリストデータが選択され、その選択されたプレイリストデータと選択されたプレイリストデータの素材データとを示すプレイリスト素材指定データがＨＤＤ６０４に一時記憶される。そして、ＨＤＤ６０４に記憶された各種データは、読み出されてメディアフォーマットデータ作成及び書き込み装置７００へ送出されて、第１の実施の形態と共に説明した書き込み動作がメディアに対して行われる。
【実施例２】
【００７７】
図９は本発明になる情報編集記録システムの第２実施例の概略構成図を示す。この実施例は、第１の装置である再生用モニタを内蔵したビデオカメラ８００と、第２の装置であるメディアフォーマットデータ作成及び書き込み装置７００とをケーブル３６０で接続した構成である。同図中、図８と同一構成部分には同一符号を付してある。
【００７８】
図９において、ビデオカメラ８００は、カメラレンズなどを内蔵するレンズ鏡筒８０１や、液晶表示素子からなるビデオモニタ８０２を有し、また、筐体内にＨＤＤ等のメモリを有すると共に、記録媒体に対して撮像した映像信号を記録し、再生する機能を有するカメラ一体型ＶＴＲである。また、ビデオカメラ８００の筐体のパネルの所定位置には記録スイッチ８０３や他の各種の操作スイッチ（図示せず）が設けられている。
【００７９】
ビデオモニタ８０２は、カメラ本体に対して開閉自在に構成されており、図９のようなビデオモニタ８０２の内側面の表示画面８０４が筐体本体から任意の角度開かれた状態のときに、表示画面８０４の表示画像をユーザが視認することができる周知の構成である。表示画面８０４の表示画像は、撮影時は撮影中の被写体画像であり、撮影時以外では、内蔵の記憶装置から読み出した、あるいは内蔵の記録再生部により記録媒体から再生された再生画像である。
【００８０】
この実施例では、表示画面８０４の画像表示部８０５に表示されている、内蔵の記憶装置から読み出した、あるいは内蔵の記録再生部により記録媒体から再生された再生画像をユーザが見ながら、各種操作スイッチ（図示せず）を操作して編集開始点（ＩＮ点）と編集終了点（ＯＵＴ点）とを決定する。編集開始点（ＩＮ点）と編集終了点（ＯＵＴ点）の画像は画像表示部８０６、８０７に表示される。編集開始点（ＩＮ点）と編集終了点（ＯＵＴ点）のアドレスを示すプレイリストデータは、内蔵の記憶装置に一時記憶される。同様にして、プレイリスト編集が行われ、１個以上のプレイリストデータが内蔵の記憶装置に一時記憶される。
【００８１】
その後、１個以上のプレイリストデータの中から任意のプレイリストデータが選択され、その選択されたプレイリストデータと選択されたプレイリストデータの素材データとを示すプレイリスト素材指定データが内蔵の記憶装置に一時記憶される。そして、記憶装置に記憶された各種データは、読み出されてメディアフォーマットデータ作成及び書き込み装置７００へ送出されて、第１の実施の形態と共に説明した書き込み動作がメディアに対して行われる。
【実施例３】
【００８２】
図１０は本発明になる情報編集記録システムの第３実施例の概略構成図を示す。この実施例は、第１の装置である再生用モニタを内蔵した画像再生機器９００と、第２の装置であるメディアフォーマットデータ作成及び書き込み装置７００とをケーブル３７０で接続した構成である。同図中、図８と同一構成部分には同一符号を付してある。
【００８３】
図１０において、画像再生機器９００は、再生用モニタの表示画面９０１、前記操作ＳＷ１０５に相当する編集用の各種操作スイッチ８０２が筐体の表面パネルに設けられており、また、筐体の所定位置（図１０では上端部）には可搬型記録媒体が挿入又は排出される媒体挿入口９０３が設けられており、媒体挿入口９０３にはメモリカード等の可搬型記録媒体９０４が着脱自在の構成とされている（図１０では装着状態を示す）。この画像再生機器９００は、可搬型記録媒体９０４に記憶されている動画データ、静止画データ、音声データの再生用プレーヤとしての機能を持つ装置であり、また、搬型記録媒体９０４に記憶されている動画データ、静止画データ、音声データをメディアフォーマットデータ作成及び書き込み装置７００へ送信する機能を有する装置である。
【００８４】
この実施例では、画像再生機器９００が可搬型記録媒体９０４に記憶されている動画データ等を読み出し、読み出した動画データを表示画面９０１の画像表示部９０５に表示させながら、各種操作スイッチ９０２を操作して編集開始点（ＩＮ点）と編集終了点（ＯＵＴ点）とを決定する。編集開始点（ＩＮ点）と編集終了点（ＯＵＴ点）の画像は画像表示部９０６、９０７に表示される。編集開始点（ＩＮ点）と編集終了点（ＯＵＴ点）のアドレスを示すプレイリストデータは、可搬型記録媒体９０４に一時記憶される。同様にして、プレイリスト編集が行われ、１個以上のプレイリストデータが可搬型記録媒体９０４に一時記憶される。
【００８５】
その後、１個以上のプレイリストデータの中から任意のプレイリストデータが選択され、その選択されたプレイリストデータと選択されたプレイリストデータの素材データとを示すプレイリスト素材指定データが可搬型記録媒体９０４に一時記憶される。そして、可搬型記録媒体９０４に記憶された各種データは、読み出されてメディアフォーマットデータ作成及び書き込み装置７００へ送出されて、第１の実施の形態と共に説明した書き込み動作がメディアに対して行われる。
【００８６】
なお、第２の装置であるメディアフォーマットデータ作成及び書き込み装置７００に媒体挿入口を設け、可搬型記録媒体９０４が着脱自在の構成とされた場合は、可搬型記録媒体９０４をメディアフォーマットデータ作成及び書き込み装置７００に直接装着することも可能である。
【００８７】
この場合は、当然に、画像再生機器９００とメディアフォーマットデータ作成及び書き込み装置７００とを接続する必要がなくなり、メディアフォーマットデータ作成及び書き込み装置７００内の制御装置が指定フォーマットメディアへ書き込むメディアフォーマットデータのみを作成する指示を行い、その上でこの作成されたメディアフォーマットデータを可搬型記録媒体９０４へ実際に書き込む操作を行うようにする構成も可能である。
【００８８】
なお、本発明は以上の実施の形態や実施例に限定されるものではなく、例えば実施の形態の動作をコンピュータのソフトウェアにより実現させるコンピュータプログラムも包含するものである。また、指定されたメディアフォーマットはＤＶＤ−Ｖｉｄｅｏ形式に限定されるものではなく、その他公知の種々のフォーマットに適用可能であることは勿論である。また、第２の装置２００、２５０が記録するメディア２０６は、ＤＶＤディスク以外の他の記録媒体にも適用可能である。更に、可搬型記録媒体９０４は、図８のビデオレコーダ機器６００、図９のビデオカメラ８００に設けるようにしてもよい。
【図面の簡単な説明】
【００８９】
【図１】本発明の情報編集記録システムの一実施の形態のブロック図である。
【図２】図１中の第１の装置の一実施の形態の詳細ブロック図である。
【図３】プレイリスト編集結果をリスト表示した表示画面の一例を示す図である。
【図４】指定メディアフォーマットでの再生時における画面表示上の要素の使用例を示す図である。
【図５】プレイリストデータを指定メディアフォーマットで利用する設定を行うための第１の装置上の表示画面の一例を示す図である。
【図６】第１の装置のメモリに格納された、ＸＭＬ形式で記述された指定メディアフォーマットの素材指定データの内容の一例を示す図である。
【図７】本発明の情報編集記録システムの他の実施の形態のブロック図である。
【図８】本発明の情報編集記録システムの第１実施例の概略構成図である。
【図９】本発明の情報編集記録システムの第２実施例の概略構成図である。
【図１０】本発明の情報編集記録システムの第３実施例の概略構成図である。
【符号の説明】
【００９０】
１００、１５０  第１の装置
１０１  画像表示装置（モニタ）
１０２  動画再生デコーダ
１０３  記憶装置（メモリ）
１０４、１５１  制御装置（プレイリスト作成指定制御部）
１０５  操作スイッチ（ＳＷ）
１０６、２０４  外部インタフェース（Ｉ／Ｆ）部
１０７  動画データ
１０８  プレイリストデータ
１０９  素材指定データ
１１０  静止画デコーダ
１１１  音声デコーダ
１１２  音声出力装置
１１３  文字生成装置
１１４  静止画データ
１１５  音声データ
１１６  ディスクオーサリング素材指定データ
１５２  メディアフォーマットデータ
２００、２５０  第２の装置
２０１  メディア書き込み装置
２０２、２５１  制御装置（メディアフォーマットデータ作成部およびメディア書き込み制御部）
２０３  メディアフォーマットデータ一時保存部
２０５  書き込み開始スイッチ（ＳＷ）
２０６  メディア
２５２  メディア書き込み速度調整バッファメモリ
４００  指定メディアフォーマットでの再生時における画面表示上の要素の使用例
４０１  指定メディアフォーマットでのページ表題を示す文字例
４０２  指定メディアフォーマットでのタイトルサムネール
４０３  指定メディアフォーマットでのタイトルの名称を示す文字列
５００  プレイリストデータを指定フォーマットメディアで利用する設定を行うための第１の装置上の表示画面例
５０１  指定メディアフォーマットでのタイトル存在するページ番号の指定入力エリア
５０２  指定メディアフォーマットでのタイトルの存在する指定ページ番号のページ上のタイトル番号の指定入力エリア
５０３  現在設定している指定メディアフォーマットで使用されるプレイリストの番号
６００  ビデオレコーダ機器
６０１、８０４、９０１  表示画面
７００  メディアフォーマットデータ作成及び書き込み装置
８００  ビデオカメラ
９００  画像再生機器
９０４  可搬型記録媒体
【図１】
2006333033.tif 000003
【図２】
2006333033.tif 000004
【図３】
2006333033.tif 000005
【図４】
2006333033.tif 000006
【図５】
2006333033.tif 000007
【図６】
2006333033.tif 000008
【図７】
2006333033.tif 000009
【図８】
2006333033.tif 000010
【図９】
2006333033.tif 000011
【図１０】
2006333033.tif 000012